【手続補正書】
【提出日】平成27年11月2日(2015.11.2)
【手続補正１】
【補正対象書類名】明細書
【補正対象項目名】０００６
【補正方法】変更
【補正の内容】
【０００６】
上述した課題を解決するために本発明の動画データ再生装置は、
動画データを再生フレームレートで再生する再生手段と、
前記再生フレームレートよりも速い撮影フレームレートで記録された動画データを前記再生手段により再生する場合に、当該動画データの再生時の経過時間とは異なる記録時の経過時間を示す案内情報を表示する案内情報表示手段と、
を備えたことを特徴とする。
【手続補正２】
【補正対象書類名】明細書
【補正対象項目名】０００７
【補正方法】変更
【補正の内容】
【０００７】
上述した課題を解決するために本発明の動画データ再生方法は、
動画データを再生フレームレートで再生する再生処理と、
前記再生フレームレートよりも速い撮影フレームレートで記録された動画データを前記再生処理により再生する場合に、当該動画データの再生時の経過時間とは異なる記録時の経過時間を示す案内情報を表示する案内情報表示処理と、
を含むことを特徴とする。
【手続補正３】
【補正対象書類名】明細書
【補正対象項目名】０００８
【補正方法】変更
【補正の内容】
【０００８】
上述した課題を解決するために本発明のプログラムは、
コンピュータに対して、
動画データを再生フレームレートで再生する再生機能と、
前記再生フレームレートよりも速い撮影フレームレートで記録された動画データを前記再生機能により再生する場合に、当該動画データの再生時の経過時間とは異なる記録時の経過時間を示す案内情報を表示する案内情報表示機能と、
を実現させる。
【手続補正４】
【補正対象書類名】特許請求の範囲
【補正対象項目名】全文
【補正方法】変更
【補正の内容】
【特許請求の範囲】
【請求項１】
動画データを再生フレームレートで再生する再生手段と、
前記再生フレームレートよりも速い撮影フレームレートで記録された動画データを前記再生手段により再生する場合に、当該動画データの再生時の経過時間とは異なる記録時の経過時間を示す案内情報を表示する案内情報表示手段と、
を備えたことを特徴とする動画データ再生装置。
【請求項２】
前記案内情報表示手段は、前記再生手段により再生している動画データの再生時の経過時間と記録時の経過時間とを異なる表示形態で表示する、
ことを特徴とする請求項１に記載の動画データ再生装置。
【請求項３】
前記案内情報表示手段は、前記再生フレームレートよりも速い撮影フレームレートで記録された動画データが前記再生手段により再生されている場合の経過時間と、前記再生フレームレートと同じまたは遅い撮影フレームレートで記録された動画データが再生されている場合の経過時間とを異なる表示形態で表示する、
ことを特徴とする請求項１に記載の動画データ再生装置。
【請求項４】
前記案内情報表示手段は、前記再生フレームレートよりも速い撮影フレームレートで記録された動画データの記録時の経過時間を示す案内情報を表示する場合に、前記動画データの再生時の経過時間を示す案内情報を表示する場合、または、前記再生フレームレートと同じまたは遅い撮影フレームレートで記録された動画データの経過時間を示す案内情報を表示する場合よりも多い桁数で経過時間を表示する、
ことを特徴とする請求項１に記載の動画データ再生装置。
【請求項５】
前記案内情報表示手段は、前記再生フレームレートよりも速い撮影フレームレートで記録された動画データの記録時の経過時間を示す案内情報を表示する場合に、前記再生フレームレートよりも速い撮影フレームレートで記録された動画データの再生時の経過時間を示す案内情報を表示する場合、または、前記再生フレームレートと同じまたは遅い撮影フレームレートで記録された動画データの記録時の経過時間を示す案内情報を表示する場合よりも多い桁数で時間を表示する、
ことを特徴とする請求項４に記載の動画データ再生装置。
【請求項６】
前記再生手段による再生中のフレーム画像の各々に対応して、前記動画データの記録時の経過時間を前記撮影フレームレートに基づいて算出する第１の算出手段を更に備え、
前記案内情報表示手段は、動画データを構成する各フレーム画像を前記再生手段により再生する場合に、前記第１の算出手段によって算出された経過時間を示す案内情報を表示する、
ことを特徴とする請求項１に記載の動画データ再生装置。
【請求項７】
前記再生手段による再生中のフレーム画像の各々に対応して、前記動画データの再生時の経過時間を前記再生フレームレートに基づいて算出する第２の算出手段を更に備え、
前記案内情報表示手段は、動画データを構成する各フレーム画像を前記再生手段により再生する場合に、前記第２の算出手段によって算出された経過時間を示す案内情報を表示する、
ことを特徴とする請求項６に記載の動画データ再生装置。
【請求項８】
前記案内情報表示手段は、前記第１の算出手段によって算出された記録時の経過時間を示す案内情報を、前記再生中のフレーム画像と共に表示する否かを所定の条件に応じて制御する、
ことを特徴とする請求項６に記載の動画データ再生装置。
【請求項９】
前記案内情報表示手段は、前記撮影フレームレートと前記再生フレームレートとが異なることを条件として、前記第１の算出手段によって算出された記録時の経過時間を示す案内情報を、前記再生中のフレーム画像と共に表示する、
ことを特徴とする請求項８に記載の動画データ再生装置。
【請求項１０】
前記案内情報表示手段は、前記撮影フレームレートが前記再生フレームレートよりも速いことを条件として、前記第１の算出手段によって算出された記録時の経過時間を示す案内情報を、前記再生中のフレーム画像と共に表示する、
ことを特徴とする請求項９に記載の動画データ再生装置。
【請求項１１】
前記案内情報表示手段は、所定の撮影フレームレートに応じた表示サイズで動画データを再生することを条件として、前記第１の算出手段によって算出された記録時の経過時間を示す案内情報を前記再生中のフレーム画像と共に表示する、
ことを特徴とする請求項８に記載の動画データ再生装置。
【請求項１２】
前記案内情報表示手段は、前記第１の算出手段によって算出された記録時の経過時間を示す案内情報と前記第２の算出手段によって算出された再生時の経過時間を示す案内情報とを同時に前記再生中のフレーム画像と共に表示する
ことを特徴とする請求項７に記載の動画データ再生装置。
【請求項１３】
前記案内情報表示手段は、記録時の経過時間を示す案内情報については、１フレーム毎に異なる経過時間を表示し、再生時の経過時間を示す案内情報については、複数フレーム毎に異なる経過時間を表示する
ことを特徴とする請求項１に記載の動画データ再生装置。
【請求項１４】
前記案内情報表示手段は、記録時の経過時間を示す案内情報については、１０分の１秒以下の単位で経過時間を変化させて表示し、再生時の経過時間を示す案内情報については、１秒以上の単位で経過時間を変化させて表示する
ことを特徴とする請求項１３に記載の動画データ再生装置。
【請求項１５】
前記再生手段による動画データの再生中に、再生を一時停止する再生速度制御手段を更に備え、
前記案内情報表示手段は、前記再生速度制御手段により再生が一時停止された場合に、記録時の経過時間の変化及び再生時の経過時間の変化を一時停止する、
ことを特徴とする請求項７に記載の動画データ再生装置。
【請求項１６】
時刻情報を計時する計時手段を更に備え、
前記案内情報表示手段は、前記計時手段によって計時された時刻情報を、前記再生速度制御手段により再生が一時停止された場合であっても時刻の経過を一時停止することなく、前記再生中のフレーム画像と共に表示する、
ことを特徴とする請求項１５に記載の動画データ再生装置。
【請求項１７】
再生フレームレートよりも速い撮影フレームレートで動画を撮影して動画データを取得する撮影手段と、
前記動画データを前記再生フレームレートで再生する再生手段と、
前記再生フレームレートよりも速い撮影フレームレートで記録された動画データを前記再生手段により再生する場合に、当該動画データの再生時の経過時間とは異なる記録時の経過時間を示す案内情報を表示する案内情報表示手段と、
を備えたことを特徴とする撮影装置。
【請求項１８】
動画データを再生フレームレートで再生する再生処理と、
前記再生フレームレートよりも速い撮影フレームレートで記録された動画データを前記再生処理により再生する場合に、当該動画データの再生時の経過時間とは異なる記録時の経過時間を示す案内情報を表示する案内情報表示処理と、
を含むことを特徴とする動画データ再生方法。
【請求項１９】
コンピュータに対して、
動画データを再生フレームレートで再生する再生機能と、
前記再生フレームレートよりも速い撮影フレームレートで記録された動画データを前記再生機能により再生する場合に、当該動画データの再生時の経過時間とは異なる記録時の経過時間を示す案内情報を表示する案内情報表示機能と、
を実現させるための動画データ再生プログラム。